(57)【要約】      （修正有）【課題】蓋付き取鍋を傾転装置を介して傾転するに際し、蓋付きで排滓、取鍋整備が可能となる、取鍋蓋落下防止装置の提供。【解決手段】取鍋１の鍋口側外周でかつ鍋トラニオン軸７側に蓋かけトラニオン８と、蓋の端部に蓋かけトラニオンに引っ掛け可能で着脱可能なように、一方向に開口した溝部を備える蓋側落下防止部材６とを、固設し、さらに蓋に蓋側係止具を、傾転装置の傾転フレーム１１に取鍋側係止具を配設。蓋側係止具として、蓋側受け金具２１を、取鍋側係止具として、両端に先端金具を備えた押圧手段２２を、傾転装置１０の傾転フレームに旋回自在でかつ先端金具が蓋かけトラニオンと蓋側受け金具とにそれぞれ当接可能に配設。また、蓋側係止具として、蓋側閂取り付け用孔付き金具を、取鍋側係止具として、閂と、該閂を進退自在に駆動する閂駆動装置とを備える閂手段を傾転フレームに旋回自在に、さらに取鍋に取鍋側閂取り付け用孔付き金具を配設。【選択図】図１
2012091210.tif 000002
【特許請求の範囲】
【請求項１】
蓋本体と開閉小蓋とからなる蓋を有する取鍋を、傾転装置を介して傾転するに際し、蓋の落下を防止する取鍋蓋落下防止装置であって、前記取鍋の鍋口側外周でかつ鍋トラニオン軸側に、両側で一対の蓋かけトラニオンを少なくとも一対、固設し、前記蓋の端部には、前記蓋かけトラニオンに引っ掛け可能で着脱可能なように、一方向に開口した溝部を少なくとも一つ備える蓋側落下防止部材を、前記蓋かけトラニオンに引っ掛け可能な位置に少なくとも一対、固設し、さらに前記蓋に蓋側係止具を、前記傾転装置の傾転フレームに取鍋側係止具を、それぞれ、前記取鍋の両側で一対となるように、配設することを特徴とする取鍋蓋落下防止装置。
【請求項２】
前記蓋側係止具が、蓋側受け金具であり、前記取鍋側係止具が、両端に先端金具を備えた押圧手段であり、該押圧手段を前記傾転装置の傾転フレームに、旋回自在でかつ前記先端金具が前記蓋かけトラニオンと前記蓋側受け金具とにそれぞれ当接可能に配設して、前記押圧手段の押圧力により、前記先端金具を介して、前記蓋かけトラニオンと前記蓋側受け金具とを押圧して、前記蓋が前記取鍋の鍋口から落下するのを防止することを特徴とする請求項１に記載の取鍋蓋落下防止装置。
【請求項３】
前記蓋側係止具が、蓋側閂取り付け用孔付き金具であり、前記取鍋側係止具が、閂と、該閂を進退自在に駆動する閂駆動装置とを備える閂手段であり、前記閂手段に加えてさらに前記取鍋に取鍋側閂取り付け用孔付き金具を配設するとともに、前記閂手段が前記傾転装置の傾転フレームに旋回自在に配設され、前記閂を前記蓋側閂取り付け用孔付き金具と、前記取鍋側閂取り付け用孔付き金具とに挿入し、取鍋傾転時に前記蓋かけトラニオンを前記閂に押当てて、前記蓋が前記取鍋本体から落下するのを防止することを特徴とする請求項１に記載の取鍋蓋落下防止装置。
【請求項４】
前記蓋側係止具が、前記蓋の開閉小蓋に配設した、蓋吊下げ用の突起であり、前記取鍋側係止具が、前記傾転装置の傾転フレームに旋回自在・進退自在に配設された吊りアームであり、前記突起を介して前記蓋を吊下げて、前記蓋が前記取鍋から落下するのを防止することを特徴とする請求項１に記載の取鍋蓋落下防止装置。
【請求項５】
前記蓋側係止具および前記取鍋側係止具に加えてさらに、前記開閉小蓋に蓋吊下げ用の突起を配設し、さらに前記突起を介して前記蓋を吊下げる吊りアームを前記傾転装置の傾転フレームに駆動可能で旋回自在に配設することを特徴とする請求項２または３に記載の取鍋蓋落下防止装置。
【発明の詳細な説明】
【技術分野】
【０００１】
本発明は、溶解炉、転炉等の溶製炉から、溶鋼を受鋼し、連鋳鋳型等に鋳込む際に使用する、取鍋に係り、とくに排滓時および鍋底の補修等の整備時に、取鍋蓋の落下を防止できる取鍋蓋落下防止装置に関する。
【背景技術】
【０００２】
製鋼工場で使用する取鍋には、通常、溶鋼の保温や、溶鋼湯面への落下防止や、輻射熱による構造物、部材等の熱変形、強度低下や火傷など周辺の高温化防止等の目的のために、鍋蓋（以下、単に蓋ともいう）を装着している。蓋が装着された取鍋では、予熱時や、受鋼に際しての傾動時などに際しては、例えば、特許文献１に示されるように、天井クレーン、ホイスト等の着脱手段により、蓋を吊持し昇降させている。
【０００３】
溶鋼の鋳込みを終了した取鍋１は、図４（ａ）に示すように、鍋トラニオン軸７を介して、傾転装置10に一時的に載置される。そして、取鍋１は、排滓のために図４（ｂ）に示すように、傾転装置10により、例えば、正方向に90°横転状態に、さらにはほぼ倒立状態（図示せず）まで傾転する。この際、取鍋の保温という観点から、蓋本体を取らずに、開閉小蓋2bのみを開けて排滓を行う。このため、蓋２の落下が懸念される。
【０００４】
このような懸念に対し、蓋２の落下を防止するために、図５（ａ）に示すように、蓋２には、溝部５を有する蓋側落下防止部材６が、一方、取鍋１の鍋口近傍の外周側には、蓋かけトラニオン８が、それぞれ配設（固設）されるようになっている。なお、図５では、簡単のために、傾転装置の図示は省略してある。
この蓋側落下防止部材６は、蓋かけトラニオン８を、溝部５内に着脱可能に引っ掛け、取鍋傾転時には、溝部５の壁に押付け可能なように、一方向に開口した溝部５を有している。これにより、図５（ｃ）に示すように、排滓のために、取鍋１を正方向に90°傾転しても、この溝部５の壁に蓋かけトラニオン８が押付けられ、蓋２の落下を防止できる。なお、図５では、蓋かけトラニオン８を２対、また、蓋側落下防止部材６には、蓋かけトラニオン８にあわせて、溝部５が２箇所に設けられている。
【先行技術文献】
【特許文献】
【０００５】
【特許文献１】特開2002−79368号公報
【発明の概要】
【発明が解決しようとする課題】
【０００６】
しかし、通常、取鍋１ではさらに、次の受鋼−鋳込みに備えて、取鍋を整備する必要があり、取鍋の底部までの観察を行う。この取鍋の整備に際しては、観察場所の関係で、例えば図５（ｂ）に示すように、取鍋１を排滓時と逆方向に、90°傾動させることを要求される場合がある。このような取鍋の整備時に行う傾動も、保温のために、排滓時と同様に蓋本体2aを取らずに行うことになる。このため、上記したように蓋側落下防止部材６および蓋かけトラニオン８の組合せでは、溝部５の壁に蓋かけトラニオン８を押付けられることができなくなり、蓋２が容易に落下することが推察され、蓋付きで取鍋を整備することができないという問題があった。
【０００７】
本発明は、かかる従来の技術における問題を有利に解決し、取鍋を傾転装置で正方向あるいは逆方向に90°まで傾転させた場合、すなわち、排滓時や取鍋整備時のいずれの傾転においても、蓋の落下を容易に防止でき、蓋付きで取鍋整備までが可能となる、取鍋蓋落下防止装置を提供することを目的とする。
【課題を解決するための手段】
【０００８】
本発明者らは、上記した目的を達成するため、排滓時とは逆方向の傾転に際しても、蓋の落下を容易に防止できる、簡便な、取鍋蓋落下防止装置について鋭意検討した。その結果、上記した蓋側落下防止部材６と蓋かけトラニオン８との組合せに加えて、蓋２には蓋側係止具を固設し、さらに、傾転装置10の傾転フレーム11に取鍋側係止具を配設することに思い至った。これにより、正方向あるいは逆方向に90°まで傾転させた場合のいずれにおいても、取鍋蓋の落下防止が可能になることを知見した。
【０００９】
本発明は、これらの知見に基づき、さらに検討を加えて完成されたものである。すなわち、本発明の要旨はつぎのとおりである。
（１）蓋本体と開閉小蓋とからなる蓋を有する取鍋を、傾転装置を介して傾転するに際し、蓋の落下を防止する取鍋蓋落下防止装置であって、前記取鍋の鍋口側外周でかつ鍋トラニオン軸側に、取鍋の両側で一対となる蓋かけトラニオンを少なくとも一対、固設し、前記蓋の端部には、前記蓋かけトラニオンに引っ掛け可能で着脱可能なように、一方向に開口した溝部を少なくとも一つ備える蓋側落下防止部材を、前記蓋かけトラニオンに引っ掛け可能な位置に少なくとも一対、固設し、さらに前記蓋に蓋側係止具を、前記傾転装置の傾転フレームに取鍋側係止具を、それぞれ、前記取鍋の両側で一対となるように、配設することを特徴とする取鍋蓋落下防止装置。
【００１０】
（２）（１）において、前記蓋側係止具が、蓋側受け金具であり、前記取鍋側係止具が、両端に先端金具を備えた押圧手段であり、該押圧手段を前記傾転装置の傾転フレームに、旋回自在でかつ前記先端金具が前記蓋かけトラニオンと前記蓋側受け金具とにそれぞれ当接可能に配設して、前記押圧手段の押圧力により、前記先端金具を介して、前記蓋かけトラニオンと前記蓋側受け金具とを押圧して、前記蓋が前記取鍋の鍋口から落下するのを防止することを特徴とする取鍋蓋落下防止装置。
【００１１】
（３）（１）において、前記蓋側係止具が、蓋側閂取り付け用孔付き金具であり、前記取鍋側係止具が、閂と、該閂を進退自在に駆動する閂駆動装置とを備える閂手段であり、前記閂手段に加えてさらに前記取鍋に取鍋側閂取り付け用孔付き金具を配設するとともに、前記閂手段が前記傾転装置の傾転フレームに旋回自在に配設され、前記閂を前記蓋側閂取り付け用孔付き金具と、前記取鍋側閂取り付け用孔付き金具とに挿入し、取鍋傾転時に前記蓋かけトラニオンを前記閂に押当てて、前記蓋が前記取鍋本体から落下するのを防止することを特徴とする取鍋蓋落下防止装置。
【００１２】
（４）（１）において、前記蓋側係止具が、前記蓋の開閉小蓋に配設した、蓋吊下げ用の突起であり、前記取鍋側係止具が、前記傾転装置の傾転フレームに旋回自在・進退自在に配設された吊りアームであり、前記突起を介して前記蓋を吊下げて、前記蓋が前記取鍋から落下するのを防止することを特徴とする取鍋蓋落下防止装置。
（５）（２）または（３）において、前記蓋側係止具および前記取鍋側係止具に加えてさらに、前記開閉小蓋に蓋吊下げ用の突起を配設し、さらに前記突起を介して前記蓋を吊下げる吊りアームを前記傾転装置の傾転フレームに駆動可能で旋回自在に配設することを特徴とする取鍋蓋落下防止装置。
【発明の効果】
【００１３】
本発明によれば、排滓時、および取鍋整備時に、取鍋を傾転装置により、正方向あるいは逆方向に90°まで傾転させても、蓋の落下を防止でき、蓋を被せたままの蓋付き作業が可能となり、取鍋におけるエネルギーロスを最小限に抑えることができ、産業上格段の効果を奏する。また、本発明によれば、転炉の出鋼温度を従来に比べて低くすることができ、転炉での酸素消費量の削減が可能になり、それにより、炭酸ガス排出量の低減、さらには地球環境の保全に寄与するという効果もある。
【図面の簡単な説明】
【００１４】
【図１】本発明の取鍋蓋落下防止装置の一例を、取鍋に装着し、取鍋を傾転させた状態で模式的に示す説明図である。
【図２】本発明の取鍋蓋落下防止装置の一例を、取鍋に装着し、取鍋を傾転させた状態で模式的に示す説明図である。
【図３】本発明の取鍋蓋落下防止装置の一例を、取鍋に装着し、取鍋を傾転させた状態で、模式的に示す説明図である。
【図４】従来の取鍋を模式的に示す説明図である。
【図５】従来の取鍋を，（ａ）傾転機に載置した状態、および、傾転機により（ｂ）逆方向に90°、（ｃ）正方向に90°、傾転させた状態を、模式的に示す説明図である。
【発明を実施するための形態】
【００１５】
溶解炉、転炉等から、精錬された溶鋼を受鋼し、連鋳鋳型等に鋳込む際に、取鍋を使用している。通常、取鍋は、鍋本体（取鍋１）と、その鍋口を覆う蓋２とを有する。鍋本体（取鍋１）には、鍋トラニオン軸７が付設されており、鍋の昇降、移動等の際に鍋の荷重を支える。蓋２は、蓋本体2aと開閉小蓋2bとを有する。なお、開閉小蓋2bには、開閉のための軸2baが付設されている。
【００１６】
本発明の取鍋蓋落下防止装置の一例を図１に示す。図１は、蓋２付き取鍋１を傾転装置10に載置して、傾転装置10により、取鍋１を逆方向に90°横転状態に傾転した場合を示す。
なお、傾転装置10は、傾転フレーム11と、傾転フレーム11に一端を、下部フレーム15に他端を回転可能に配設された連結棒13と、傾転フレーム11に一端を、下部フレーム15に他端を回転可能に配設され、伸縮自在な傾転シリンダー14とを有する装置とすることが好ましい。なお、下部フレーム15は、基礎に固定された下部フレーム旋回中心16に回転自在に連結されている。取鍋１は、傾転フレーム11の上端部に、鍋トラニオン軸７を介して傾転自在に載置される。また、傾転フレーム11の下部側には、鍋トラニオン軸７と平行な方向に、取鍋底の金物（図示せず）と当接し、傾転フレーム11と取鍋が連動可能なように、コネクションビーム12が配設されている。このような構成とすることにより、傾転シリンダー14の伸展により、取鍋１を傾転させることができる。
【００１７】
図１に示す、本発明の取鍋蓋落下防止装置では、まず、鍋本体（取鍋１）には、鍋口側外周でかつ鍋トラニオン軸７側に、蓋かけトラニオン８を固設し、一方、蓋本体2aには、蓋の端部に蓋側落下防止部材６を固設する。
蓋かけトラニオン８は、好ましくは鍋トラニオン軸７と平行に、鍋本体（取鍋１）の相対する両側で一対となるように、鍋本体（取鍋１）の外周側に、少なくとも一対、固設する。
【００１８】
また、蓋本体2aには、蓋の両側で一対となるように、蓋の端部に蓋側落下防止部材６を、少なくとも一対、固設する。蓋側落下防止部材６は、蓋の端部に、上記した蓋かけトラニオン８を引っ掛け可能でかつ着脱可能なように、溝部５を少なくとも一つ備える。そしてさらに、蓋かけトラニオン８を収納でき、かつ取鍋を正方向に90°傾転した時に、溝部５の壁に押付け可能なように、溝部５を設けることが好ましい。なお、図１には、溝部５を二つ有する蓋側落下防止部材６が記載されているが、これに限定されないことは言うまでもない。
【００１９】
本発明の取鍋蓋落下防止装置では、上記した蓋側落下防止部材６と蓋かけトラニオン８との組合せに加えて、さらに、蓋本体2aに蓋側係止具を、傾転装置10の傾転フレーム11に取鍋側係止具を、それぞれ配設する。
図１に示す蓋側係止具と取鍋側係止具は、蓋側受け金具21と、両端に先端金具22a，22bを備えた押圧手段22である。これら蓋側係止具と取鍋側係止具は、取鍋の両側で少なくとも一対となるように配設されることは言うまでもない。蓋本体2aに、好ましくは蓋本体2aの端部に配設される蓋側受け金具21は、先端金具22aの形状に応じて、先端金具22aとの当接面積を大きくできる形状であればよく、とくに限定する必要はないが、先端金具22aが、断面円形の軸材とした場合には、加工が容易である、断面が、先端金具22aに相対する側が円弧状部材、あるいは凹状の板材とすることが好ましい。
【００２０】
また、押圧手段22は、先端金具22aが蓋側受け金具21と、先端金具22bが蓋かけトラニオン８と、それぞれ当接可能で、かつ旋回自在に傾転装置10の傾転フレーム11に配設される。押圧手段22としては、油圧ジャッキ等が好適である。先端金具22bは、当接する蓋かけトラニオン８が軸状であるため、断面凹状を呈する板材、あるいは円弧状部材とすることが好ましい。また、先端金具22aは、当接する蓋側受け金具21の形状に応じて、当接面積を大きくできる形状であればよく、とくに限定する必要はないが、加工が容易であることから、断面が円形の軸材とすることが好ましい。
【００２１】
図１に示す蓋側係止具と取鍋側係止具では、押圧手段22の押圧力を利用し、先端金具22a，22bを介して、蓋側受け金具21と蓋かけトラニオン８を押圧する。蓋側受け金具21は蓋本体2aに固設されており、蓋側受け金具21を押圧することにより蓋の落下が抑制され、一方、押圧された蓋かけトラニオン８は、蓋本体2aに固設された蓋側落下防止部材６の溝部５の壁に阻まれて、結果として蓋の落下を防止できる。
【００２２】
なお、押圧手段22は、押圧手段取付アーム23に取り付けられ、取付アーム旋回軸24と取付フレーム25を介して傾転フレーム11に、旋回自在で、かつ蓋側受け金具21と蓋かけトラニオン８とに当接可能に取り付けられる。なお、押圧手段取付アーム23は、伸縮自在に、また取付アーム旋回軸24は旋回自在でかつ伸縮自在に配設することが好ましく、図示しない駆動手段により、駆動される。
【００２３】
本発明の取鍋蓋落下防止装置の他の一例を図２に示す。図２は、図１と同様に、蓋２付き取鍋１を傾転装置10に載置して、傾転装置10により、取鍋１を逆方向に90°横転状態に傾転した場合を示す。
図２に示す、本発明の取鍋蓋落下防止装置では、図１と同様に、鍋本体（取鍋１）には、鍋口側外周でかつ鍋トラニオン軸７側に、蓋かけトラニオン８を固設し、一方、蓋本体2aには、蓋の端部に蓋側落下防止部材６を固設し、さらに、蓋本体2aに蓋側係止具を、傾転装置10の傾転フレーム11に取鍋側係止具を、それぞれ配設する。これらは、それぞれ、取鍋の両側で一対となるように配設されることは言うまでもない。
【００２４】
そして、図２に示す取鍋蓋落下防止装置においては、蓋側係止具は、蓋側閂取り付け用孔付き金具32であり、取鍋側係止具は、閂31cと、該閂31cを閂取付金具31bを介し進退自在に駆動できる閂駆動装置31aとを有する閂手段31である。さらに、図２に示す取鍋蓋落下防止装置においては、取鍋側係止具として、閂手段31に加えてさらに取鍋１に取鍋側閂取り付け用孔付き金具33を配設する。なお、蓋側閂取り付け用孔付き金具32と取鍋側閂取り付け用孔付き金具33とは、閂31cが挿入可能・引抜き可能で、かつ閂31cと蓋側落下防止部材６とで、蓋かけトラニオン８を蓋側落下防止部材６の溝部５内に留めることが可能なように、配設する必要がある。
【００２５】
図２に示す取鍋蓋落下防止装置では、閂手段31により閂31cを、蓋側閂取り付け用孔付き金具32と取鍋側閂取り付け用孔付き金具33に挿入する。これにより、取鍋1を逆方向に90°横転した状態に傾転し、蓋2が落下しようとしても、蓋かけトラニオン８が閂31c に当たり、蓋２が取鍋１から外れることが防止される。
閂手段31は、閂駆動装置31a、閂取付金具31b、閂31cを有する。閂31c は、閂取付金具31bを介して閂駆動装置31aに接続され、閂駆動装置31aの伸縮により進退自在に駆動され、孔付き金具32、33に挿入・引抜き自在とされる。閂駆動装置31aが伸長した状態では、閂31cは、孔付き金具32、33から引き抜かれ、閂が外れた状態となり、一方、閂駆動装置31aが収縮した状態では、閂31cは、孔付き金具32、33に挿入され、閂が掛かった状態となる。なお、閂駆動手段31aとしては、油圧シリンダー等が例示できる。
【００２６】
また、閂駆動装置31aは、取付アーム34に取り付けられている。取付アーム34は、取付フレーム35を介して、傾転装置10の傾転フレーム11に取り付けられている。取付アーム34は、図示しない駆動装置により、旋回自在でかつ伸縮自在に駆動され、閂駆動装置31aに接続された閂31cを、孔付き金具32、33に挿入可能・引抜き可能な位置にセットできるようにしている。
【００２７】
本発明の取鍋蓋落下防止装置の他の一例を図３に示す。図３は、図１、図２と同様に、蓋２付き取鍋１を傾転装置10に載置して、傾転装置10により、取鍋１を逆方向に90°横転状態に傾転した場合を示す。
図３に示す、本発明の取鍋蓋落下防止装置では、図１、図２と同様に、鍋本体（取鍋１）には、蓋かけトラニオン８を固設し、蓋本体2aには、蓋の端部には蓋側落下防止部材６を、取鍋の両側で一対となるように、固設している。さらに、図３に示す取鍋蓋落下防止装置では、蓋側係止具として、蓋の開閉小蓋2bに突起41を配設（固設）し、取鍋側係止具として、吊りアーム42を配設する。吊りアーム42の先端には、突起41を介して蓋２を吊下げ可能な治具が配設されることは言うまでもない。
【００２８】
吊りアーム42は、取付アーム43と取付フレーム44等とを介して、傾転装置10の傾転フレーム11に取り付けられる。なお、吊りアーム42は、取付アーム43に設けられた、鍋トラニオン軸と平行な旋回軸43aのまわりに、あるいは、図示しない取鍋高さ方向に平行な旋回軸のまわりに、駆動装置（図示せず）により、旋回自在に取り付けられることが好ましい。
【００２９】
開閉小蓋2bに配設された突起41を介して、吊りアーム42により蓋２を吊下げることにより、取鍋を逆方向に90°傾転した場合でも、吊りアーム42が、取付アーム43と取付フレーム44等とを介して傾転フレーム11に配設されているため、開閉小蓋2bは開かないし、蓋本体2aも取鍋の鍋口から落下することはない。
なお、図１、図２に示した取鍋蓋落下防止装置においても、図３に示す突起41と吊りアーム42との組合せを併用することにより、取鍋を逆方向に90°傾転した場合に、開閉小蓋2bが開くことを防止することができる。
【符号の説明】
【００３０】
１    取鍋
２    蓋
2a    蓋本体
2b    開閉小蓋
2ba   開閉小蓋開閉軸
５    溝部
６    蓋側落下防止部材
７    鍋トラニオン軸
８    蓋かけトラニオン
９    傾転の旋回中心
10    傾転装置
11    傾転フレーム
21    蓋側受け金具
22    押圧手段
23    押圧手段取付アーム
24    取付アーム旋回軸
25    取付フレーム
31    閂手段
31a   閂駆動装置
31b   閂取付金具
31c   閂
32    蓋側閂取り付け用孔付き金具（孔付き金具）
33    取鍋側閂取り付け用孔付き金具（孔付き金具）
34    取付アーム
35    取付フレーム
41    突起
42    吊りアーム
43    取付アーム
43a   旋回軸
44    取付フレーム
【図１】
2012091210.tif 000003
【図２】
2012091210.tif 000004
【図３】
2012091210.tif 000005
【図４】
2012091210.tif 000006
【図５】
2012091210.tif 000007